(57)【要約】【課題】集約印刷機能選択時のプレビュー画像表示において、ユーザが原稿をＡＤＦなどに対して正規な向きに置かなかった場合であっても、簡便な操作でユーザの意図する並び順で集約することができる画像処理装置を提供する。【解決手段】複数の画像データを１つのページに集約する集約処理項目が設定処理項目４０２の中から選択された場合、原稿が正規な向きで読み取られた場合を想定した集約の並び順の候補（Ａで示す候補５０１群）と原稿が正規な向きで読み取られなかった場合を想定した集約の並び順の候補（Ｂで示す候補５０１群）との中から１つの集約の並び順を選択可能な入力画面情報４００を表示し、集約の並び順の候補５０１の中から１つの集約の並び順の選択を受け付け、選択を受け付けた集約の並び順に応じて複数の画像データを１つのページに集約したプレビュー画像を生成する。【選択図】        図７
2008228026.tif 000002
【特許請求の範囲】
【請求項１】
各種の設定処理項目の中から選択された処理を画像データに対して設定した結果を示すプレビュー画像を表示する画像処理装置において、
複数の前記画像データを１つのページに集約する集約処理項目が前記設定処理項目の中から選択された場合、原稿が正規な向きで読み取られた場合を想定した集約の並び順の候補と原稿が正規な向きで読み取られなかった場合を想定した集約の並び順の候補との中から１つの前記集約の並び順を選択可能な入力画面情報を表示する画面表示手段と、
前記集約の並び順の候補の中から１つの前記集約の並び順の選択を受け付ける選択受付手段と、
選択を受け付けた前記集約の並び順に応じて複数の前記画像データを１つのページに集約した前記プレビュー画像を生成するプレビュー画像生成手段と、
を備えることを特徴とする画像処理装置。
【請求項２】
前記画面表示手段は、原稿が正規な向きで読み取られた場合を想定した集約の並び順の候補および原稿が正規な向きで読み取られなかった場合を想定した集約の並び順の候補を一覧表示する入力画面情報を表示する、
ことを特徴とする請求項１記載の画像処理装置。
【請求項３】
前記画面表示手段は、原稿の天地方向に応じた集約の並び順の候補のみを提示する入力画面情報を表示する、
ことを特徴とする請求項１記載の画像処理装置。
【請求項４】
前記プレビュー画像生成手段により生成された前記集約にかかる前記プレビュー画像の前記集約の並び順の変更が宣言された場合、変更が宣言された前記集約の並び順を基準に、集約元の前記画像データの向きを９０°ずつ変えて構成した３種類の前記集約の並び順の候補を表示する変更画面表示手段を備え、
前記選択受付手段で選択を受け付けた前記集約の並び順に応じて前記プレビュー画像生成手段が複数の前記画像データを１つのページに集約した前記プレビュー画像を生成する、
ことを特徴とする請求項１ないし３の何れか一記載の画像処理装置。
【請求項５】
前記プレビュー画像生成手段により生成された前記集約にかかる前記プレビュー画像の前記集約の並び順の変更が宣言された場合、変更が宣言された前記集約の並び順を基準に、集約元の前記画像データの向きを９０°ずつ変えて構成した３種類の前記集約の並び順になるような集約元の前記画像データの並べ替え方の候補を表示する変更画面表示手段を備え、
前記選択受付手段で選択を受け付けた前記集約の並び順に応じて前記プレビュー画像生成手段が複数の前記画像データを１つのページに集約した前記プレビュー画像を生成する、
ことを特徴とする請求項１ないし３の何れか一記載の画像処理装置。
【請求項６】
各種の設定処理項目の中から選択された処理を画像データに対して設定した結果を示すプレビュー画像を表示部に表示させる処理をコンピュータに実行させるプログラムであって、
複数の前記画像データを１つのページに集約する集約処理項目が前記設定処理項目の中から選択された場合、原稿が正規な向きで読み取られた場合を想定した集約の並び順の候補と原稿が正規な向きで読み取られなかった場合を想定した集約の並び順の候補との中から１つの前記集約の並び順を選択可能な入力画面情報を前記表示部に表示する画面表示機能と、
前記集約の並び順の候補の中から１つの前記集約の並び順の選択を受け付ける選択受付機能と、
選択を受け付けた前記集約の並び順に応じて複数の前記画像データを１つのページに集約した前記プレビュー画像を生成するプレビュー画像生成機能と、
を前記コンピュータに実行させることを特徴とするプログラム。
【請求項７】
前記画面表示機能は、原稿が正規な向きで読み取られた場合を想定した集約の並び順の候補および原稿が正規な向きで読み取られなかった場合を想定した集約の並び順の候補を一覧表示する入力画面情報を前記表示部に表示する、
ことを特徴とする請求項６記載のプログラム。
【請求項８】
前記画面表示機能は、原稿の天地方向に応じた集約の並び順の候補のみを提示する入力画面情報を表示する、
ことを特徴とする請求項６記載のプログラム。
【請求項９】
前記プレビュー画像生成機能により生成された前記集約にかかる前記プレビュー画像の前記集約の並び順の変更が宣言された場合、変更が宣言された前記集約の並び順を基準に、集約元の前記画像データの向きを９０°ずつ変えて構成した３種類の前記集約の並び順の候補を前記表示部に表示する変更画面表示機能を備え、
前記選択受付機能で選択を受け付けた前記集約の並び順に応じて前記プレビュー画像生成機能が複数の前記画像データを１つのページに集約した前記プレビュー画像を生成する、
ことを特徴とする請求項６ないし８の何れか一記載のプログラム。
【請求項１０】
前記プレビュー画像生成機能により生成された前記集約にかかる前記プレビュー画像の前記集約の並び順の変更が宣言された場合、変更が宣言された前記集約の並び順を基準に、集約元の前記画像データの向きを９０°ずつ変えて構成した３種類の前記集約の並び順になるような集約元の前記画像データの並べ替え方の候補を前記表示部に表示する変更画面表示機能を備え、
前記選択受付機能で選択を受け付けた前記集約の並び順に応じて前記プレビュー画像生成機能が複数の前記画像データを１つのページに集約した前記プレビュー画像を生成する、
ことを特徴とする請求項６ないし８の何れか一記載のプログラム。
【請求項１１】
各種の設定処理項目の中から選択された処理を画像データに対して設定した結果を示すプレビュー画像を表示部に表示するプレビュー画像表示方法において、
複数の前記画像データを１つのページに集約する集約処理項目が前記設定処理項目の中から選択された場合、原稿が正規な向きで読み取られた場合を想定した集約の並び順の候補と原稿が正規な向きで読み取られなかった場合を想定した集約の並び順の候補との中から１つの前記集約の並び順を選択可能な入力画面情報を前記表示部に表示する画面表示工程と、
前記集約の並び順の候補の中から１つの前記集約の並び順の選択を受け付ける選択受付工程と、
選択を受け付けた前記集約の並び順に応じて複数の前記画像データを１つのページに集約した前記プレビュー画像を生成するプレビュー画像生成工程と、
を含むことを特徴とするプレビュー画像表示方法。
【請求項１２】
前記画面表示工程は、原稿が正規な向きで読み取られた場合を想定した集約の並び順の候補および原稿が正規な向きで読み取られなかった場合を想定した集約の並び順の候補を一覧表示する入力画面情報を前記表示部に表示する、
ことを特徴とする請求項１１記載のプレビュー画像表示方法。
【請求項１３】
前記画面表示工程は、原稿の天地方向に応じた集約の並び順の候補のみを提示する入力画面情報を表示する、
ことを特徴とする請求項１１記載のプレビュー画像表示方法。
【請求項１４】
前記プレビュー画像生成工程により生成された前記集約にかかる前記プレビュー画像の前記集約の並び順の変更が宣言された場合、変更が宣言された前記集約の並び順を基準に、集約元の前記画像データの向きを９０°ずつ変えて構成した３種類の前記集約の並び順の候補を前記表示部に表示する変更画面表示工程を備え、
前記選択受付工程で選択を受け付けた前記集約の並び順に応じて前記プレビュー画像生成工程が複数の前記画像データを１つのページに集約した前記プレビュー画像を生成する、
ことを特徴とする請求項１１ないし１３の何れか一記載のプレビュー画像表示方法。
【請求項１５】
前記プレビュー画像生成工程により生成された前記集約にかかる前記プレビュー画像の前記集約の並び順の変更が宣言された場合、変更が宣言された前記集約の並び順を基準に、集約元の前記画像データの向きを９０°ずつ変えて構成した３種類の前記集約の並び順になるような集約元の前記画像データの並べ替え方の候補を前記表示部に表示する変更画面表示工程を備え、
前記選択受付工程で選択を受け付けた前記集約の並び順に応じて前記プレビュー画像生成工程が複数の前記画像データを１つのページに集約した前記プレビュー画像を生成する、
ことを特徴とする請求項１１ないし１３の何れか一記載のプレビュー画像表示方法。
【発明の詳細な説明】
【技術分野】
【０００１】
本発明は、画像処理装置、プログラムおよびプレビュー画像表示方法に関する。
【背景技術】
【０００２】
近年、原稿画像を読み取るスキャナ、スキャナで読み取った原稿画像を印刷する複写機、外部から入力された画像データを印刷するプリンタやファクシミリ装置、あるいは、これらの機能を兼ね備えたいわゆるＭＦＰ（Multi Function Peripheral）と称される複合機が用いられている。
【０００３】
この種の複合機にあっては、原稿の種類や濃度といった原稿の状態に関する設定、拡大率・縮小率、片面・両面、余白サイズなどの各種画像処理に関する設定、スタンプ押印処理、ステープル処理あるいはパンチ孔あけ処理といった仕上げ処理に関する設定など、様々な機能に関する設定をユーザは行うことができる。
【０００４】
しかしながら、従来の複合機では、このような仕上げ機能を設定して印刷を開始すると、印刷結果を得るまで仕上がり状態を確認できない。例えば、パンチ孔をあけた仕上がり状態において、パンチ孔の位置と出力画像とが重なっていたとしても、実際に印刷してみるまで結果を知ることができないため、印刷ミスとなり、用紙を無駄に使用してしまうという問題が生じる。
【０００５】
そこで、このような問題を解決するために、実際の印刷に先だって、プレスキャンした原稿イメージに対して仕上げ機能などの各種機能（印刷用紙、印刷面、パンチ、ステープルなど）による処理を施した仕上がり結果のプレビュー画像を表示し、必要に応じて印刷の設定を変更することができる画像処理装置が特許文献１で提案されている。
【０００６】
また、本出願人は、先に出願した特許文献２において、原稿のプレビュー画像内の特定場所に触れるとその位置に関連するメニューが表示され、その機能（印刷用紙、印刷面、パンチ、ステープルなど）を選択することで、直ちにプレビュー画像に該設定が反映される、直感的で利便性の高いユーザインタフェースを提案している。
【０００７】
【特許文献１】特開２００１−６７３４７号公報
【特許文献２】特開２００６−００３５６８号公報
【発明の開示】
【発明が解決しようとする課題】
【０００８】
ところで、複合機は、元の原稿を複数ページずつまとめて１つのページに集約して印刷する集約印刷機能を有している。このような集約印刷機能を利用する場合、ユーザは、１ページ中に集約される複数ページがどういう順で並べられるか（並び順）を指定する必要がある。このような集約の並び順は、スキャナのＡＤＦ（Auto Document Feeder）などに載置されて自動送りされる原稿の向きに影響される。従来においては、スキャナのＡＤＦ上の原稿の向きが正規な向きになっているという想定の下、ユーザに並び順の候補を提示し、提示された候補の中から所望の並び順をユーザに選択させている。
【０００９】
しかしながら、上述したような集約印刷機能を利用する場合において、ユーザが原稿をＡＤＦに対して正規な向きに置くとは限らない。ユーザが原稿をＡＤＦに対して正規な向きに置かなかった場合には、以下に示すような問題が生じている。
（１）ユーザに対して提示される集約の並び順の候補が不足する。
（２）ユーザの意図していない間違った集約の並び順を選択してしまう可能性が大きい。
【００１０】
また、特許文献１または２に開示された発明のようにプレビュー画像を表示して必要に応じて印刷の設定を変更するような場合においても、ユーザが原稿をＡＤＦに対して正規な向きに置かなかった場合には、同様の問題が生じる。
【００１１】
本発明は、上記に鑑みてなされたものであって、集約印刷機能選択時のプレビュー画像表示において、ユーザが原稿をＡＤＦなどに対して正規な向きに置かなかった場合であっても、簡便な操作でユーザの意図する並び順で集約することができる画像処理装置、プログラムおよびプレビュー画像表示方法を提供することを目的とする。
【課題を解決するための手段】
【００１２】
上述した課題を解決し、目的を達成するために、本発明は、各種の設定処理項目の中から選択された処理を画像データに対して設定した結果を示すプレビュー画像を表示する画像処理装置において、複数の前記画像データを１つのページに集約する集約処理項目が前記設定処理項目の中から選択された場合、原稿が正規な向きで読み取られた場合を想定した集約の並び順の候補と原稿が正規な向きで読み取られなかった場合を想定した集約の並び順の候補との中から１つの前記集約の並び順を選択可能な入力画面情報を表示する画面表示手段と、前記集約の並び順の候補の中から１つの前記集約の並び順の選択を受け付ける選択受付手段と、選択を受け付けた前記集約の並び順に応じて複数の前記画像データを１つのページに集約した前記プレビュー画像を生成するプレビュー画像生成手段と、を備える。
【００１３】
また、本発明は、各種の設定処理項目の中から選択された処理を画像データに対して設定した結果を示すプレビュー画像を表示部に表示させる処理をコンピュータに実行させるプログラムであって、複数の前記画像データを１つのページに集約する集約処理項目が前記設定処理項目の中から選択された場合、原稿が正規な向きで読み取られた場合を想定した集約の並び順の候補と原稿が正規な向きで読み取られなかった場合を想定した集約の並び順の候補との中から１つの前記集約の並び順を選択可能な入力画面情報を前記表示部に表示する画面表示機能と、前記集約の並び順の候補の中から１つの前記集約の並び順の選択を受け付ける選択受付機能と、選択を受け付けた前記集約の並び順に応じて複数の前記画像データを１つのページに集約した前記プレビュー画像を生成するプレビュー画像生成機能と、を前記コンピュータに実行させる。
【００１４】
また、本発明は、各種の設定処理項目の中から選択された処理を画像データに対して設定した結果を示すプレビュー画像を表示部に表示するプレビュー画像表示方法において、複数の前記画像データを１つのページに集約する集約処理項目が前記設定処理項目の中から選択された場合、原稿が正規な向きで読み取られた場合を想定した集約の並び順の候補と原稿が正規な向きで読み取られなかった場合を想定した集約の並び順の候補との中から１つの前記集約の並び順を選択可能な入力画面情報を前記表示部に表示する画面表示工程と、前記集約の並び順の候補の中から１つの前記集約の並び順の選択を受け付ける選択受付工程と、選択を受け付けた前記集約の並び順に応じて複数の前記画像データを１つのページに集約した前記プレビュー画像を生成するプレビュー画像生成工程と、を含む。
【発明の効果】
【００１５】
本発明によれば、複数の画像データを１つのページに集約する集約処理項目が設定処理項目の中から選択された場合、原稿が正規な向きで読み取られた場合を想定した集約の並び順の候補と原稿が正規な向きで読み取られなかった場合を想定した集約の並び順の候補との中から１つの集約の並び順を選択可能な入力画面情報を表示し、集約の並び順の候補の中から１つの集約の並び順の選択を受け付け、選択を受け付けた集約の並び順に応じて複数の画像データを１つのページに集約したプレビュー画像を生成することにより、集約印刷機能選択時のプレビュー画像表示において、ユーザが原稿をＡＤＦなどに対して正規な向きに置かなかった場合であっても、簡便な操作でユーザの意図する並び順で集約することができる、という効果を奏する。
【発明を実施するための最良の形態】
【００１６】
以下に添付図面を参照して、この発明にかかる画像処理装置、プログラムおよびプレビュー画像表示方法の最良な実施の形態を詳細に説明する。
【００１７】
［第１の実施の形態］
本発明の第１の実施の形態を図１ないし図１５に基づいて説明する。本実施の形態は画像処理装置として、コピー機能、ファクシミリ（ＦＡＸ）機能、プリント機能、スキャナ機能及び入力画像（スキャナ機能による読み取り原稿画像やプリンタあるいはＦＡＸ機能により入力された画像）を配信する機能等を複合したいわゆるＭＦＰ（Multi Function Peripheral）と称される複合機を適用した例である。
【００１８】
図１は、本発明の第１の実施の形態にかかる複合機１０の機能ブロック図である。図１に示す複合機１０は、スキャナ１１、ＡＤＦ（オート・ドキュメント・フィーダ）１１１、スキャナコントローラ１１２、画像記憶部１２、画像処理部１３、プリンタ１４、プリンタコントローラ１４２、仕上げ処理部１４１、操作表示部１５、操作表示制御部１５１、システム制御部１６、および通信制御部１７を備える。また、複合機１０は、通信制御部１７を介してネットワーク１８と接続されている。そして、複合機１０は、原稿１９の画像を読み取って画像処理を施した後、印刷物２０として出力する。
【００１９】
システム制御部１６は、各構成部と接続されていて、複合機１０全体の制御を行うものである。例えば、選択されている用紙サイズに対して適切な走査領域情報をスキャナ１１に提供するなどの制御である。このシステム制御部１６は、不図示のＣＰＵ（Central Processing Unit）、ＲＯＭ（Read Only Memory）、ＲＡＭ（Random Access Memory）などから構成されており、ＣＰＵがＲＯＭに格納されたプログラムに基づいてＲＡＭのワーク領域を利用しながら動作することにより、各種処理が実行される。
【００２０】
なお、複合機１０で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital Versatile Disk）等のコンピュータで読み取り可能な記録媒体に記録されて提供されてもよい。この場合、システム制御部１６のＣＰＵが上記記憶媒体からプログラムを読み出して主記憶装置（図示せず）上にロードすることで、複合機１０に各種の機能を実現させる。また、プログラムを、インターネット等のネットワーク１８に接続されたコンピュータ上に格納し、ネットワーク経由でダウンロードさせることにより提供するようにしても良い。または、プログラムをインターネット等のネットワーク経由で提供若しくは配布するようにしても良い。
【００２１】
通信制御部１７は、ＬＡＮ（ローカル・エリア・ネットワーク）やインターネットなどのネットワーク１８と接続され、通信プロトコルに従ってネットワークに接続された他の機器との間で画像データや制御データ等のやり取りを行うものである。
【００２２】
スキャナコントローラ１１２は、システム制御部１６の命令を受け、スキャナ１１を制御する。
【００２３】
スキャナ１１は、スキャナコントローラ１１２に制御され、原稿１９のイメージをデジタル画像データに変換する。なお、ＡＤＦ１１１は、セットされた複数ページの原稿をスキャナ１１の読取位置に１枚ずつ順に繰り出すことができるので、このＡＤＦ１１１を用いることにより、スキャナ１１は複数ページの原稿を連続して自動的に読み込みを行うことができる。また、ＡＤＦ１１１は、用紙の片面に印刷された片面原稿だけでなく、両面に印刷された両面原稿を反転させてスキャナ１１に送り出すことができるので、スキャナ１１に両面原稿を読み込ませることが可能である。
【００２４】
画像記憶部１２は、システム制御部１６の命令を受け、スキャナ１１で読み取った画像データや、ネットワーク１８を介して外部から入力された画像データ等を一時的に保存しておくバッファメモリである。本実施の形態の複合機１０は、自身の備えるスキャナ１１から読み取った画像データ及び、ネットワーク１８を介するなどして外部から入力された画像データのいずれをも処理して画像形成することができる。
【００２５】
画像処理部１３は、スキャナ１１から送られて画像記憶部１２に一時的に保存された多値データに対して、システム制御部１６の命令を受け、γ補正やＭＴＦ補正処理等を施した後、スライス処理やディザ処理のような階調処理を施して２値（または多値）化処理を施す。また、画像処理部１３は、ユーザが設定した機能に対応した各種の画像処理（拡大／縮小、濃度／色の調整など）、画像領域編集処理（領域削除、領域移動、領域反転など）やレイアウト加工処理（両面印刷／片面印刷、集約印刷、余白サイズの調整など）、仕上がり状態のプレビュー画像である仕上がり情報の生成処理などを行う。
【００２６】
また、画像処理部１３は、仕上がり情報生成部１３１と、入力画面情報生成部１３２と、設定部１３３とを備える。
【００２７】
仕上がり情報生成部１３１は、基本的には、原稿をプレスキャンした画像データに対する各種の項目入力に基づく設定処理に従って、後述する表示パネル１５ｂに表示する原稿画像に対する加工や各種設定処理を施した後の仕上がり情報（プレビュー画像）を生成する。原稿画像に対する加工や仕上げ処理の結果を表す仕上がり情報を生成する。仕上がり情報生成部１３１は、画像記憶部１２に一時的に保存された多値データを用いる。
【００２８】
入力画面情報生成部１３２は、仕上がり情報生成部１３１が生成した仕上がり情報に対する各種の設定入力を受け付ける設定処理項目を含み、表示パネル１５ｂに表示させる入力画面情報を生成する。
【００２９】
設定部１３３は、後述するタッチパネル１５ａから表示パネル１５ｂに表示された入力画面４００に対してユーザが設定のための入力を行った場合、該入力信号を受け付けるとともに、画像記憶部１２に格納された入力画像に関する座標情報を取得する。
【００３０】
ここで、仕上がり情報生成部１３１は、設定部１３３が設定入力信号を受け付けた場合、受け付けた設定入力信号に従って、再び仕上がり情報を更新して生成し、表示パネル１５ｂは更新して生成された仕上がり情報に従って更新された仕上がり予想画面を表示する。
【００３１】
また、入力画面情報生成部１３２は、設定部１３３によって受け付けられた入力信号によって、再びユーザからの設定入力を受け付ける画面を生成する入力画面情報を生成し、表示パネル１５ｂは生成された入力画面情報によって入力画面４００を更新して表示する。
【００３２】
プリンタコントローラ１４２は、システム制御部１６の命令を受けてプリンタ１４を制御する。
【００３３】
このプリンタ１４は、仕上げ処理部１４１を搭載している。仕上げ処理部１４１は、自動設定あるいはユーザによる設定を受け付けて、印刷処理が施された印刷物２０を部数やページ単位で仕分けを行うソート処理、印刷媒体に対して所定のスタンプを押印するスタンプ処理、複数枚の印刷媒体を揃えてステープルで綴じるステープル処理、あるいは、複数枚の印刷媒体をバインダーやファイルに綴じるためのパンチ孔をあけるパンチ孔処理といった仕上げ処理を行う。
【００３４】
操作表示制御部１５１は、表示手段として機能するものであり、システム制御部１６の命令を受けて操作表示部１５の入出力を制御する。例えば、操作表示制御部１５１は、画像処理部１３によって処理されたデータを、操作表示部１５が備えているタッチパネル１５ａおよび表示パネル１５ｂに出力制御する。より具体的には、操作表示制御部１５１は、生成された仕上がり情報（プレビュー画像）を表示パネル１５ｂに表示させる。また、操作表示制御部１５１は、タッチパネル１５ａからの入力制御を行う。なお、表示パネル１５ｂとタッチパネル１５ａは図面上別々に記載されているが、ここでは一体的に構成する。
【００３５】
タッチパネル１５ａは、パネル上に、電気的あるいは磁気的にポインタの接触する位置を検出する。タッチパネル１５ａに対する指定手段（図示せず）としては、人間の指先、スタイラスペン、その他の接触入力具（以下ポインタと記す）が適用可能である。すなわち、ユーザは、タッチパネル１５ａに対してこのようなポインタを介して接触することによって、印刷設定を含む各種項目を入力する。
【００３６】
なお、本実施の形態においては、タッチパネル１５ａに対する接触入力を例に挙げて説明するが、必ずしも接触入力のみが本発明の実施の形態ではない。例えば、操作表示部１５は、タッチパネル１５ａの他に操作者による物理的なキーの押下を受付けて入力を行うハードキーを備え、印刷実行などの指示を与えるようにしても良い。また、表示パネル１５ｂは、複合機１０が備える専有の表示装置を用いても良い。
【００３７】
操作表示部１５は、操作表示制御部１５１に制御され、タッチパネル１５ａを介して設定内容の入力を受け付け、仕上がり情報（プレビュー画像）や画面の仕上げを設定する設定画面のメニュー項目を表示部である表示パネル１５ｂに表示する。
【００３８】
また、操作表示部１５は、複合機１０で実行したい機能を設定画面のメニュー項目として表示し、表示されたメニュー項目の中からユーザによる設定入力を受け付けるためのものである。すなわち、操作表示制御部１５１は、項目の選択が可能な領域に対してポインタがタッチパネル１５ａに接触すると、押圧された部分の座標が検出され、選択可能領域における接触であることが検出されると、該当する項目が選択されたものとして受け付ける。例えば、操作表示部１５は、原稿の状態に応じたスキャナ１１における読み取り条件の設定、読み取った画像データに対する画質調整などの加工を行う画像処理部１３における設定、プリンタ１４における印刷条件の設定、あるいは、印刷後の印刷物に対してソート、ステープル、パンチ孔などの仕上げ処理を行う仕上げ処理部１４１などの設定を受け付けるものである。
【００３９】
システム制御部１６は、操作表示制御部１５１を介して上述したような各種設定を受け付けると、画像記憶部１２に記憶されている元画像データに対して画像処理部１３で要求された設定処理を反映させて仕上がり情報（プレビュー画像）を作成し、操作表示部１５に送って表示させる。
【００４０】
図２は、複合機１０が画像データを入力して生成した仕上がり情報（プレビュー画像）の一例を示す正面図である。操作表示部１５の表示パネル１５ｂには、仕上がり情報（プレビュー画像）４０１および設定処理項目４０２が表示される。設定処理項目４０２としては、ステープル、パンチ、とじしろ調整、わく消去、スタンプおよびページ番号などの仕上がり情報（プレビュー画像）４０１上の場所に依存したメニュー４０２ａが画面の右側に表示されている。また、出力カラー、出力濃度、用紙、拡大／縮小、片面／両面、集約、ソート／スタックおよび地肌などのコンテンツに依存しないメニュー４０２ｂが画面の左側に表示されている。
【００４１】
操作者が、表示パネル１５ｂに表示された仕上がり情報（プレビュー画像）４０１を見ながらポインタで接触することによって、タッチパネル１５ａは、表示された仕上がり情報（プレビュー画像）４０１上の印刷物の仕上がり状態における空間的位置である位置情報の入力を受け付ける。このような場合において、設定部１３３は、タッチパネル１５ａによって受け付けられた位置情報を解析し、ポインタの接触する画像上での座標情報を取得する。
【００４２】
このような構成により、複合機１０は、実際のコピー印刷に先だって、仕上がり情報（プレビュー画像）４０１を複合機１０の操作表示部１５が備えている表示パネル１５ｂに表示し、目視でその仕上がり情報（プレビュー画像）を確認した後に、必要に応じて設定を変更し、実際の印刷を行うことができる。
【００４３】
ここで、図３に示すように、操作者によって操作表示部１５において表示されている設定処理項目４０２（４０２ａ）のうち、パンチ４０３が接触入力により選択されたとする。
【００４４】
操作表示部１５がパンチ４０３からの接触入力を検知し、システム制御部１６が操作表示制御部１５１を介してパンチ４０３の設定を受け付けると、画像処理部１３の入力画面情報生成部１３２は、「パンチ」に対応して設定できるパンチの領域を図４に示した設定処理項目４０２の各処理項目と設定可能位置を関連付けて規定した対応定義テーブルから読み出して、設定できる領域４０４および４０５を、操作表示部１５に表示する。パンチ孔が可能な領域４０４および４０５を、仕上がり情報（プレビュー画像）４０１において表示する形態は、互いに重畳する形態でも良く、上書きして表示する形態でも良い。あるいは、可能な領域の色を変化させる、点滅させる、あるいはそれ以外をダークアウトさせるなどの表現形態を適用することができる。なお、図４に示したテーブルの設定可能位置は、２点の対角線を表示する座標で規定し、規定される２点による線分を対角線とする主走査および副走査方向に平行な矩形で規定される。例えば、「ステープル」は、（０，０）と（４０，４０）とで定まる位置、（１２０，０）と（１６０，４０）とで定まる位置を規定する。
【００４５】
そして、操作者は、図３に示されたパンチ孔領域４０４に接触することによって選択入力を行う。操作表示部１５は、パンチ４０３からの接触入力を受け付け、画像処理部１３の仕上がり情報生成部１３１は、受け付けた領域においてパンチ孔処理を施す設定処理を反映させて仕上がり情報（プレビュー画像）を作成し、操作表示部１５に送って表示させる。図５にパンチ孔処理４０６が施された仕上がり情報（プレビュー画像）４０１を示す。このようにして表示された仕上がり情報（プレビュー画像）４０１から、修正などの設定入力を受け付ける。受け付けた設定は再び反映されて表示され、受け付けない場合は、印刷実行を受け付ける。
【００４６】
なお、ここでは特に図示していないが、プレビュー画像上の特定の場所に触れると、その位置に関連する機能のメニューを表示し、利用者がそのうちの１つを選択したら、その効果をプレビュー画像に直ちに反映させるようにしても良い。
【００４７】
次に、システム制御部１６のＣＰＵがＲＯＭに格納されたプログラムに基づいて動作することにより実現される特徴的な処理である集約印刷機能選択時のプレビュー画像表示処理について図６のフローチャートを参照しつつ説明する。
【００４８】
図６に示すように、集約印刷機能選択時のプレビュー画像表示処理は、スキャナ１１のＡＤＦ１１１にセットされた複数ページの原稿１９がプレスキャンされると（ステップＳ１）、読み取った原稿１９の画像を入力画面４００上に仕上がり情報（プレビュー画像）４０１として表示する（ステップＳ２）。
【００４９】
その後、操作者によって操作表示部１５に表示されている設定処理項目４０２（４０２ｂ）のうち、集約印刷機能４０７が接触入力により選択されると（ステップＳ３のＹｅｓ、ステップＳ４のＹｅｓ）、図７に示すような画像データの並び順についての候補を操作表示部１５に送って表示させる（ステップＳ５）。より詳細には、システム制御部１６は、入力画面情報生成部１３２を制御して、画像データの並び順についての候補を一覧表示させる入力画面情報を生成し、操作表示部１５に送って表示させる。図７に示すように、入力画面４００には、集約印刷機能４０７に設定されている画像データの並び順についての候補５０１を一覧表示させた一覧画面５００が表示されている。
【００５０】
ここで、画像データの並び順についての候補５０１について詳述する。図７で選択されている集約印刷機能は、４ページの原稿１９を１つのページに集約して印刷するものであり、８通りの画像データの並び順についての候補５０１が一覧表示されている。このように８通りの画像データの並び順についての候補５０１が表示されるのは、次の理由による。集約の並び順は、スキャナ１１のＡＤＦ１１１にセットされた複数ページの原稿１９の向きに影響される。従来においては、スキャナ１１のＡＤＦ１１１上の原稿１９の向きが正規な向きになっているという想定の下、集約印刷機能についてのプレビュー画像を用いてユーザに並び順の候補を提示し、提示された候補の中から所望の並び順をユーザに選択させるようにしていた。しかしながら、上述したような集約印刷機能を利用する場合において、ユーザが原稿１９をスキャナ１１のＡＤＦ１１１に対して正規な向きに置くとは限らない。ユーザが原稿１９をＡＤＦ１１１に対して正規な向きに置かなかった場合には、以下に示すような問題が生じることになる。
（１）ユーザに対して提示される集約の並び順の候補が不足する。
（２）ユーザの意図していない間違った集約の並び順を選択してしまう可能性が大きい。
そこで、本実施の形態の複合機１０においては、ユーザが原稿１９をＡＤＦ１１１に対して正規な向きに置かなかった場合を想定した集約の並び順も提示するようにしたものである。図７においてＡで示す画像データの並び順についての候補５０１群はユーザが原稿１９をＡＤＦ１１１に対して正規な向きに置いた場合を想定した集約の並び順、図７においてＢで示す画像データの並び順についての候補５０１群はユーザが原稿１９をＡＤＦ１１１に対して正規な向きに置かなかった場合を想定した集約の並び順である。ここに、画面表示手段が実現されている。
【００５１】
上述したような複数の画像データの並び順についての候補５０１の中から一の画像データの並び順についての候補５０１の選択を受け付けると（ステップＳ６）、ステップＳ２に戻り、図２に示した表示と同様に、選択された一の画像データの並び順についての候補５０１に基づく仕上がり情報（プレビュー画像）４０１を生成して操作表示部１５に表示することにより、詳細設定に待機する。ここに、プレビュー画像生成手段の機能が実行される。より詳細には、システム制御部１６は、操作表示制御部１５１を介して一覧画面５００に一覧表示された複数の画像データの並び順についての候補５０１の中から一の画像データの並び順についての候補５０１を選択した旨を示す信号を受け付けた場合、画像処理部１３を制御して、受け付けた候補５０１に従って仕上がり情報（プレビュー画像）を生成させるとともに、生成された仕上がり情報（プレビュー画像）４０１を操作表示部１５に出力して表示する（図８参照）。
【００５２】
操作表示部１５はコピーボタンの押下などによるコピー実行命令を検出する状態となっており、コピー実行命令を受け付けた場合（ステップＳ３のＮｏ、ステップＳ７のＹｅｓ）、画像データに対する各種設定入力に基づく設定処理が施された仕上がり情報（プレビュー画像）４０１に基づき、画像データのコピーを実行する（ステップＳ８）。
【００５３】
これにより、ユーザが原稿１９をＡＤＦ１１１に対して正規な向きに置かなかった場合であっても、簡便な操作でユーザの意図する並び順で集約することができる。
【００５４】
加えて、本実施の形態の複合機１０においては、ユーザが画像データの並び順についての候補５０１の中から誤った並び順を選択した場合に、誤って選択した並び順を変更することができる。誤った並び順を選択した場合とは、具体的には、本来は後述する図１４の並び順を選択するつもりで図７に示すＡの左上の並び順（Ｚ順）を選択した結果、図９に示すような誤った並び順が表示されてしまった場合である。図９に示す例は、ユーザがＡＤＦ１１１に対する原稿１９を正規な向きに置かなかったのに、そのことを考慮せずに並び順を選択したために生じた誤りである。
【００５５】
次に、システム制御部１６のＣＰＵがＲＯＭに格納されたプログラムに基づいて動作することにより実現される特徴的な処理である並び順変更処理について図１０のフローチャートを参照しつつ説明する。
【００５６】
誤った並び順を選択してしまった場合、ユーザは、図９に示す入力画面４００に設けられている「並び順変更」ボタン６００を押下する。
【００５７】
図１０に示すように、システム制御部１６は、「並び順変更」ボタン６００が押下されたことを検出すると（ステップＳ１１）、仕上がり情報生成部１３１を制御して、図１１に示すように、ユーザが誤って選択した並び順（例えば、図９の並び順）を基準に、集約元の画像データの向きを９０°ずつ変えて構成した３種類の並び順を取得する（ステップＳ１２）。
【００５８】
次に、システム制御部１６は、仕上がり情報生成部１３１を制御して、取得した並び順に従って、図１２に示すような３種類の仕上がり情報（プレビュー画像）を生成し（ステップＳ１３）、入力画面情報生成部１３２を制御して、仕上がり情報生成部１３１が生成した３種類の仕上がり情報（プレビュー画像）を一覧表示させる入力画面情報を生成し、操作表示部１５に送って表示させる（ステップＳ１４）。図１３は、３種類の仕上がり情報（プレビュー画像）４０１を一覧表示させた入力画面４００を示す正面図である。図１３に示すように、入力画面４００には、３種類の仕上がり情報（プレビュー画像）４０１を一覧表示させた一覧画面７００が表示されている。ここに、変更画面表示手段が実現されている。
【００５９】
その後、一覧画面７００に一覧表示されている３種類の仕上がり情報（プレビュー画像）４０１の中から一の仕上がり情報（プレビュー画像）の選択を受け付けると（ステップＳ１５のＹｅｓ）、図８に示した表示と同様に、選択された一の仕上がり情報（プレビュー画像）を拡大して操作表示部１５に表示することにより、詳細設定に待機する（ステップＳ１６）。より詳細には、システム制御部１６は、操作表示制御部１５１を介して一覧画面７００に一覧表示された３種類の仕上がり情報（プレビュー画像）４０１の中から一の仕上がり情報（プレビュー画像）４０１を選択した旨を示す信号を受け付けた場合、画像処理部１３を制御して、選択された一の仕上がり情報（プレビュー画像）４０１を操作表示部１５に出力して、拡大して表示する（図１４参照）。
【００６０】
このように、ユーザが誤って選択した並び順（例えば、図８の並び順）を基準に、３通りに向きを変えた３種類の並べ方の仕上がり情報（プレビュー画像）４０１を生成して表示し、ユーザに選択させることにより、簡単にユーザが誤って選択した並び順を正しい並び順に変更することができる。
【００６１】
このように本実施の形態によれば、複数の画像データを１つのページに集約する集約処理項目が設定処理項目の中から選択された場合、原稿が正規な向きで読み取られた場合を想定した集約の並び順の候補と原稿が正規な向きで読み取られなかった場合を想定した集約の並び順の候補との中から１つの集約の並び順を選択可能な入力画面情報を表示し、集約の並び順の候補の中から１つの集約の並び順の選択を受け付け、選択を受け付けた集約の並び順に応じて複数の画像データを１つのページに集約したプレビュー画像を生成することにより、集約印刷機能選択時のプレビュー画像表示において、ユーザが原稿をＡＤＦなどに対して正規な向きに置かなかった場合であっても、簡便な操作でユーザの意図する並び順で集約することができる。
【００６２】
なお、本実施の形態においては、図７に示したように、ユーザが原稿１９をＡＤＦ１１１に対して正規な向きに置いた場合を想定した集約の並び順についての候補５０１群と、ユーザが原稿１９をＡＤＦ１１１に対して正規な向きに置かなかった場合を想定した集約の並び順についての候補５０１群とを一覧表示するようにしたが、これに限るものではない。例えば、図１５に示すように、ユーザの操作によって原稿の天地方向を選択することができる天地方向選択部５５０を操作表示部１５に表示し、ユーザの選択操作に従い、原稿の天地方向に応じた並び順の候補のみを提示するようにしても良い。
【００６３】
［第２の実施の形態］
次に、本発明の第２の実施の形態を図１６および図１７に基づいて説明する。なお、前述した第１の実施の形態と同じ部分は同じ符号で示し説明も省略する。
【００６４】
第１の実施の形態においては、並び順変更処理の際に、ユーザが誤って選択した並び順（例えば、図８の並び順）を基準に、３通りに向きを変えた３種類の並べ方の仕上がり情報（プレビュー画像）４０１を生成して表示するようにした。本実施の形態においては、ユーザが誤って選択した並び順を基準に、集約元の画像データの向きを９０°ずつ変えて構成した３種類の並べ方になるような集約元の画像データの並べ替え方を示した仕上がりイメージを表示し選択させるようにした点で、第１の実施の形態とは異なるものである。
【００６５】
システム制御部１６のＣＰＵがＲＯＭに格納されたプログラムに基づいて動作することにより実現される特徴的な処理である並び順変更処理について図１６のフローチャートを参照しつつ説明する。
【００６６】
誤った並び順を選択してしまった場合、ユーザは、図９に示す入力画面４００に設けられている「並び順変更」ボタン６００を押下する。
【００６７】
図１６に示すように、システム制御部１６は、「並び順変更」ボタン６００が押下されたことを検出すると（ステップＳ２１）、システム制御部１６は、仕上がり情報生成部１３１を制御して、ユーザが誤って選択した並び順（例えば、図９の並び順）を基準に、図１７に示すような、集約元の画像データの向きを９０°ずつ変えて構成した３種類の並び順になるような集約元の画像データの並べ替え方を示した３種類の仕上がり情報（プレビュー画像）を生成し（ステップＳ２２）、入力画面情報生成部１３２を制御して、仕上がり情報生成部１３１が生成した３種類の仕上がり情報（プレビュー画像）を一覧表示させる入力画面情報を生成し、操作表示部１５に送って表示させる（ステップＳ２３）。図１７は、集約元の画像データの並べ替え方を示した３種類の仕上がり情報（プレビュー画像）４０１を一覧表示させた入力画面４００を示すものである。図１７に示すように、入力画面４００には、集約元の画像データの並べ替え方を示した３種類の仕上がり情報（プレビュー画像）４０１を一覧表示させた一覧画面８００が表示されている。ここに、変更画面表示手段が実現されている。
【００６８】
その後、一覧画面８００に一覧表示されている集約元の画像データの並べ替え方を示した３種類の仕上がり情報（プレビュー画像）４０１の中から一の仕上がり情報（プレビュー画像）の選択を受け付けると（ステップＳ２４のＹｅｓ）、図８に示した表示と同様に、選択された一の仕上がり情報（プレビュー画像）を拡大して操作表示部１５に表示することにより、詳細設定に待機する（ステップＳ２５）。より詳細には、システム制御部１６は、操作表示制御部１５１を介して一覧画面８００に一覧表示された集約元の画像データの並べ替え方を示した３種類の仕上がり情報（プレビュー画像）４０１の中から一の仕上がり情報（プレビュー画像）４０１を選択した旨を示す信号を受け付けた場合、画像処理部１３を制御して、選択された一の仕上がり情報（プレビュー画像）４０１を操作表示部１５に出力して、拡大して表示する（図１４参照）。
【００６９】
このように、ユーザが誤って選択した並び順（例えば、図８の並び順）を基準に、集約元の画像データの向きを９０°ずつ変えて構成した３種類の集約の並び順になるような集約元の画像データの並べ替え方の候補を表示し、ユーザに選択させることにより、簡単にユーザが誤って選択した並び順を正しい並び順に変更することができる。
【００７０】
［第３の実施の形態］
次に、本発明の第３の実施の形態を図１８ないし図２２に基づいて説明する。なお、前述した第１の実施の形態または第２の実施の形態と同じ部分は同じ符号で示し説明も省略する。
【００７１】
第１の実施の形態ないし第２の実施の形態においては、本発明の画像処理装置として、ＭＦＰと称される複合機１０を適用したが、これに限るものではない。例えば、プリンタ装置などの画像形成装置をパーソナルコンピュータに接続するとともに、このパーソナルコンピュータのＨＤＤ（Hard Disk Drive）などの記憶装置に所定のプログラムをインストールし、このプログラムに従ってパーソナルコンピュータのＣＰＵ（Central Processing Unit ）を動作させることによっても、前述したような各種の作用効果と同様の作用効果を得ることができる。
【００７２】
図１８は、本発明の第３の実施の形態にかかるプリントシステム１２００の概略構成例を示すブロック図である。図１８に示すプリントシステム１２００は、印刷データ及び当該印刷データを印刷するための印刷条件を含む印刷ジョブを送出するパーソナルコンピュータ１２０１と、印刷データを印刷するプリンタ装置１２０２とが、ケーブル１２０３を介して接続されて構築されている。
【００７３】
パーソナルコンピュータ１２０１は、作成した文書に対応した印刷データ及びこの文書印刷するために設定した印刷条件データ（用紙方向、両面、集約、製本、ステープル、パンチ、拡大／縮小等）を印刷ジョブとしてプリンタ装置１２０２に送出する。
【００７４】
プリンタ装置１２０２は、パーソナルコンピュータ１２０１から送出される印刷ジョブに従って印刷データの印刷を行う。具体的には、プリンタ装置１２０２は、印刷ジョブに含まれる印刷条件データ（用紙方向、両面、集約、製本、ステープル、パンチ、拡大／縮小等）に従って、印刷ジョブに含まれる印刷データを紙などのメディアに印刷する。
【００７５】
以下、パーソナルコンピュータ１２０１およびプリンタ装置１２０２の具体的な構成を順に説明する。
【００７６】
図１９は、パーソナルコンピュータ１２０１の概略構成を示すブロック図である。図１９において、パーソナルコンピュータ１２０１は、データを入力するための入力部１２１１と、表示部１２１２と、データ通信をおこなうための通信部１２１３と、装置全体の制御を司るＣＰＵ１２１４と、ＣＰＵ１２１４のワークエリアとして使用されるＲＡＭ１２１５と、記録媒体１２１７のデータのリード／ライトを行う記録媒体アクセス装置１２１６と、ＣＰＵ１２１４を動作させるための各種プログラム等を記憶した記録媒体１２１７とから構成されている。
【００７７】
入力部１２１１は、カーソルキー、数字入力キー及び各種機能キー等を備えたキーボード、表示部１２１２の表示画面上でキーの選択等を行うためのマウスやスライスパット等からなり、操作者がＣＰＵ１２１４に操作指示を与えたり、データを入力するためのユーザインタフェースである。
【００７８】
表示部１２１２は、ＣＲＴやＬＣＤ等により構成され、ＣＰＵ１２１４から入力される表示データに応じた表示が行われる。通信部１２１３は、外部とデータ通信するためのものであり、例えば、ケーブル１２０３を介してプリンタ装置１２０２等とデータ通信を行うためのものである。
【００７９】
ＣＰＵ１２１４は、記録媒体１２１７に格納されているプログラムに従って、装置全体を制御する中央制御ユニットであり、このＣＰＵ１２１４には、入力部１２１１、表示部１２１２、通信部１２１３、ＲＡＭ１２１５、記録媒体アクセス装置１２１６が接続されており、データ通信、メモリへのアクセスによるアプリケーションプログラムの読み出しや各種データのリード／ライト、データ／コマンド入力、表示等を制御する。また、ＣＰＵ１２１４は、入力部１２１１から入力された印刷データ及び当該印刷データの印刷条件データを印刷ジョブとして通信部１２１３を介して、プリンタ装置１２０２に送出する。
【００８０】
ＲＡＭ１２１５は、指定されたプログラム、入力指示、入力データ及び処理結果等を格納するワークメモリと、表示部１２１２の表示画面に表示する表示データを一時的に格納する表示メモリとを備えている。
【００８１】
上記記録媒体１２１７は、ＣＰＵ１２１４が実行可能なＯＳプログラム１２１７ａ（例えば、ＷＩＮＤＯＷＳ（登録商標）等）、文書作成用アプリケーションプログラム１２１７ｂ、プリンタ装置１２０２に対応したプリンタドライバ１２１７ｃ等の各種プログラムやデータを格納する。記録媒体１２１７としては、例えば、フレキシブルディスク、ハードディスク、ＣＤ−ＲＯＭ、ＤＶＤ−ＲＯＭ、ＭＯやＰＣカード等の光学的・磁気的・電気的な記録媒体から成る。上記各種プログラムは、ＣＰＵ１２１４が読み取り可能なデータ形態で記録媒体１２１７に格納されている。また、上記各種プログラムは、予め記録媒体に記録されている場合や通信回線を介してダウンロードされて記録媒体に格納される場合等がある。また、上記各種プログラムは通信回線を介して配信可能である。
【００８２】
図２０は、プリンタ装置１２０２の概略構成を示すブロック図である。図２０に示すように、プリンタ装置１２０２は、データ通信をおこなう通信部１２２１と、プリンタ装置１２０２の全体の制御を司るＣＰＵ１２２２と、ＣＰＵ１２２２を動作させる各種制御プログラムを格納したＲＯＭ１２２３と、各種制御プログラムのワークエリアおよびパーソナルコンピュータ１２０１等から入力される印刷ジョブの印字データおよび印刷条件データを一時的格納するＲＡＭ１２２４と、印字データを転写紙に印字するためのプリンタエンジン１２２５と、印字データが印字された紙をステープルするためのステープル部１２２６と、印字データが印字された転写紙にパンチ穴を空けるためのパンチ部１２２７とから構成されている。つまり、プリンタ装置１２０２は、両面機能、パンチ機能、ステープル機能等を備えている。
【００８３】
通信部１２２１は、外部とデータ通信を行うためのものであり、例えば、パーソナルコンピュータ１２０１とデータ通信を行うものである。
【００８４】
ＣＰＵ１２２２は、ＲＯＭ１２２３に格納されている各種制御プログラムに従って装置全体を制御する中央制御ユニットである。このＣＰＵ１２２２には、通信部１２２１と、ＲＯＭ１２２３と、ＲＡＭ１２２４と、プリンタエンジン１２２５と、ステープル部１２２６と、パンチ部１２２７が接続されており、データ通信やプリンタ動作等を制御する。
【００８５】
ＲＯＭ１２２３は、ＣＰＵ１２２１を動作させるための各種制御プログラムやその処理に使用されるパラメータ等を記憶している。ＲＡＭ１２２４は、指定された制御プログラム、処理結果及び受信した印刷データ等を格納するワークメモリを備えている。
【００８６】
プリンタエンジン１２２５は、電子写真方式のプリンタエンジンで構成されており、印字データを転写紙に印字するユニットである。なお、プリンタ装置１２０２の印刷方式は、電子写真方式のほか、インクジェット方式、昇華型熱転写方式、銀塩写真方式、直接感熱記録方式、溶融型熱転写方式など、様々な方式を用いることができる。
【００８７】
次に、パーソナルコンピュータ１２０１のプリンタドライバ１２１７ｃについて説明する。プリンタドライバ１２１７ｃは、特定のプログラムに対して他のプログラムが、プリンタ装置１２０２のハードウェアや内部“言語”に煩わされることなく操作できるように設計されたソフトウエアプログラムであり、プリンタ装置１２０２を制御するためのもので、出力データの処理等をおこなうためのものである。
【００８８】
パーソナルコンピュータ１２０１のＣＰＵ１２１４は、プリンタドライバ１２１７ｃに従って、入力部１２１１から入力された印刷データ及び当該印刷データの印刷条件データに基づく仕上がり情報（プレビュー画像）の生成・表示、文書作成用アプリケーション１２１７ｂで作成した印刷データのプリンタ装置１２０２への転送等を行う。
【００８９】
パーソナルコンピュータ１２０１は、プリンタドライバ１２１７ｃに従ってＣＰＵ１２１４が動作することにより、図２１に示すように、画像記憶部１２、画像処理部１３、操作表示制御部１５１およびシステム制御部１６を備える。
【００９０】
このように、プリンタドライバ１２１７ｃに従ってＣＰＵ１２１４が動作することにより、パーソナルコンピュータ１２０１は、図１に示した複合機１０と同等なシステム構成を備えることになり、第１の実施の形態ないし第２の実施の形態で説明したような各種の作用効果と同様の作用効果を得ることができる。
【００９１】
図２２は、プリンタドライバ１２１７ｃによる表示画面の一例を示す正面図である。図２２に示す画面は、文書作成用アプリケーション１２１７ｂの表示画面やＯＳプログラム１２１７ａの起動画面等で、プリンタドライバ１２１７ｃの起動が選択された場合に表示される画面である。図２２に示す画面においては、基本条件設定画面、編集条件設定画面、仕上げ条件設定画面等に加えて、入力部１２１１から入力された印刷データ及び当該印刷データの印刷条件データに基づくプレビュー画像の生成・表示を行なう入力画面４００（複合機１０の入力画面４００と同様のもの）が選択可能になっている。
【００９２】
なお、本実施の形態においては、プリンタドライバ１２１７ｃに従ってパーソナルコンピュータ１２０１のＣＰＵ１２１４を動作させることによって、入力部１２１１から入力された印刷データ及び当該印刷データの印刷条件データに基づく仕上がり予想図の生成・表示を行なう入力画面４００を表示させるようにしたが、これに限るものではなく、文書作成用アプリケーション１２１７ｂやＯＳプログラム１２１７ａに従ってパーソナルコンピュータ１２０１のＣＰＵ１２１４を動作させることによって、入力画面４００を表示させるようにしても良い。
【００９３】
以上、本発明者によってなされた発明を好適な実施例に基づき具体的に説明したが、本発明は上記のものに限定されるものではなく、その要旨を逸脱しない範囲で種々変更可能であることはいうまでもない。
【図面の簡単な説明】
【００９４】
【図１】本発明の第１の実施の形態にかかる複合機の機能ブロック図である。
【図２】仕上がり情報（プレビュー画像）の一例を示す正面図である。
【図３】設定処理項目が選択された状態の一例を示す模式図である。
【図４】処理項目と設定可能位置との対応定義テーブルを示す模式図である。
【図５】パンチ孔処理が施された仕上がり情報（プレビュー画像）の一例を示す正面図である。
【図６】集約印刷機能選択時のプレビュー画像表示処理の流れを示すフローチャートである。
【図７】画像データの並び順についての候補の一例を示す正面図である。
【図８】仕上がり情報（プレビュー画像）の一例を示す正面図である。
【図９】並び順を誤って選択した場合のプレビュー画像を示す正面図である。
【図１０】並び順変更処理の流れを示すフローチャートである。
【図１１】３種類の並び順を示す模式図である。
【図１２】３種類の仕上がり情報（プレビュー画像）を示す模式図である。
【図１３】３種類の仕上がり情報（プレビュー画像）を一覧表示させた入力画面を示す正面図である。
【図１４】仕上がり情報（プレビュー画像）の一例を示す正面図である。
【図１５】原稿の天地方向に応じた並び順の候補のみを提示する例を示す正面図である。
【図１６】本発明の第２の実施の形態にかかる並び順変更処理の流れを示すフローチャートである。
【図１７】集約元の画像データの並べ替え方を示した３種類の仕上がり情報（プレビュー画像）の一例を示す正面図である。
【図１８】本発明の第３の実施の形態にかかるプリントシステムの概略構成例を示すブロック図である。
【図１９】パーソナルコンピュータの概略構成を示すブロック図である。
【図２０】プリンタ装置の概略構成を示すブロック図である。
【図２１】パーソナルコンピュータの要部を示すブロック図である。
【図２２】プリンタドライバによる表示画面の一例を示す正面図である。
【符号の説明】
【００９５】
１０，１２０１      画像処理装置
４００      入力画面情報
４０１      プレビュー画像
【図１】
2008228026.tif 000003
【図２】
2008228026.tif 000004
【図３】
2008228026.tif 000005
【図４】
2008228026.tif 000006
【図５】
2008228026.tif 000007
【図６】
2008228026.tif 000008
【図７】
2008228026.tif 000009
【図８】
2008228026.tif 000010
【図９】
2008228026.tif 000011
【図１０】
2008228026.tif 000012
【図１１】
2008228026.tif 000013
【図１２】
2008228026.tif 000014
【図１３】
2008228026.tif 000015
【図１４】
2008228026.tif 000016
【図１５】
2008228026.tif 000017
【図１６】
2008228026.tif 000018
【図１７】
2008228026.tif 000019
【図１８】
2008228026.tif 000020
【図１９】
2008228026.tif 000021
【図２０】
2008228026.tif 000022
【図２１】
2008228026.tif 000023
【図２２】
2008228026.tif 000024